(57)【要約】【課題】光ピックアップおよび情報記録再生装置における光源の出力光量の最適制御と保守の容易化を行う。【解決手段】情報記録再生装置において、光ピックアップ２００は、ＬＤ２２１と、光源の温度を検出する温度検出部２２８と、光源の発光波長を検出する波長検出部２２４と、光源の光強度を検出するモニタ検出部２２３と、記憶部２２９とを備え、記憶部２２９は、温度検出部２２８で検出された温度と、波長検出手段２２４で検出された発光波長と、モニタ検出部２２３により検出される光強度が所定の値となるように光源に印加する駆動電流とを用いて算出され、光源の温度変化に対する光源の波長および駆動電流の変化を表す温度依存特性データを記憶し、信号処理部３００は、各検出部における検出結果と温度依存特性データとを用いて、ＬＤ２２１に印加する駆動電流を光源駆動部２２６に設定する。【選択図】    図４
2005032340.tif 000002
【特許請求の範囲】
【請求項１】
電流により駆動される光源からの光を情報記録媒体に照射する光ピックアップにおいて、
前記光源の温度を検出する温度検出手段と、
前記温度検出手段で検出される温度における前記光源の波長、および、前記温度において所定の光強度を得るために光源に印加する電流を表す温度依存特性データを記憶する記憶手段とを備える光ピックアップ。
【請求項２】
電流により駆動される光源からの光を情報記録媒体に照射する光ピックアップにおいて、
前記光源の温度を検出する温度検出手段と、
前記光源の発光波長を検出する波長検出手段と、
前記温度検出手段で検出される温度と前記波長検出手段で検出される発光波長とを用いて算出され、前記光源の温度変化に対する前記光源の波長変化を表す温度依存特性データを記憶する記憶手段とを備える光ピックアップ。
【請求項３】
電流により駆動される光源からの光を情報記録媒体に照射する光ピックアップにおいて、
前記光源の温度を検出する温度検出手段と、
前記光源の光強度を検出する光強度検出手段と、
前記温度検出手段で検出される温度と前記光強度検出手段により検出される光強度が所定の値となるように前記光源に印加する電流とを用いて算出され、前記光源の温度変化に対する前記光源の電流の変化を表す温度依存特性データを記憶する記憶手段とを備える光ピックアップ。
【請求項４】
電流により駆動される光源からの光を情報記録媒体に照射する光ピックアップにおいて、
前記光源の温度を検出する温度検出手段と、
前記光源の発光波長を検出する波長検出手段と、
前記光源の光強度を検出する光強度検出手段と、
前記温度検出手段で検出された温度と、前記波長検出手段で検出された発光波長と、前記光強度検出手段により検出される光強度が所定の値となるように前記光源に印加する電流とを用いて算出され、前記光源の温度変化に対する前記光源の波長および電流の変化を表す温度依存特性データを記憶する記憶手段とを備える光ピックアップ。
【請求項５】
前記波長検出手段は、
光源の発光波長近傍で透過率が変化する光学素子と、
前記光学素子を透過していない光の光強度を検出する第１の検出手段と、
前記光学素子を透過した後の光強度を検出する第２の検出手段とを有する請求項２または請求項４に記載の光ピックアップ。
【請求項６】
前記波長検出手段は、
前記光源の発光波長近傍で透過率が変化する光学素子と、
前記光学素子により反射された光強度を検出する第１の検出手段と、
前記光学素子を透過した後の光強度を検出する第２の検出手段とを有する請求項２または請求項４に記載の光ピックアップ。
【請求項７】
前記光源は、複数の異なる波長の光を出力し、
前記波長検出手段は、前記光源が出力する光の各波長を検出する請求項２または請求項４に記載の光ピックアップ。
【請求項８】
入射された光の回折方向を外部から入力された信号に応じて制御する光分割素子をさらに備える、請求項２から請求項４までのいずれかに記載の光ピックアップ。
【請求項９】
前記記憶手段は、あらかじめ工場出荷時における前記温度依存特性データを記憶している請求項１から請求項４までのいずれかに記載の光ピックアップ。
【請求項１０】
情報記録媒体に光を照射して情報を記録し記録された情報を再生する情報記録再生装置において、
請求項１から請求項４までのいずれかに記載の光ピックアップと、
前記温度検出手段、前記波長検出手段および前記光強度検出手段の少なくともいずれかにより検出された結果に応じて、前記記憶手段に記憶された温度依存特性データのいずれかのデータを選択し、選択された温度依存特性データを用いて、前記光源の電流を制御する信号処理手段とを備え、
前記信号処理手段は、前記記憶手段に記憶された温度依存特性データを追加または更新の少なくともいずれかを行うことを特徴とする情報記録再生装置。
【請求項１１】
情報記録媒体に光を照射して情報を記録し記録された情報を再生する情報記録再生装置において、
請求項８に記載の光ピックアップと、
前記温度検出手段、前記波長検出手段および前記光強度検出手段の少なくともいずれかにより検出された結果に応じて、前記記憶手段に記憶された温度依存特性データのいずれかのデータを選択し、選択された温度依存特性データを用いて、前記光源の電流を制御する信号処理手段とを備え、
前記信号処理手段は、前記記憶手段に記憶された温度依存特性データを追加または更新の少なくともいずれかを行い、前記光源が出力する光の波長に応じて前記光分割素子に入力させる信号を設定することを特徴とする情報記録再生装置。
【請求項１２】
前記信号処理手段は、工場出荷時の温度依存特性データと、前記光ピックアップ使用時の温度依存特性データとを比較することにより、前記光源の劣化状態を判定することを特徴とする、請求項１０に記載の情報記録再生装置。
【発明の詳細な説明】
【０００１】
【発明の属する技術分野】
この発明は、光により情報を記録または再生する光ピックアップおよび情報記録再生装置、特に、光源の出力光量の最適制御と保守の容易化に関する。
【０００２】
【従来の技術】
【特許文献１】特開平１１−２１３４２８号公報
【特許文献２】特開２００１−２９７４６５号公報
情報記録媒体である光ディスクに情報を記録し、または記録された情報を再生する情報記録再生装置の光ピックアップ内には、光源として半導体レーザ素子（ＬＤ）が備えられている。半導体レーザ素子の制御において、情報記録の高密度化を目的として記録マーク形状を制御する等のため、光変調波形をマルチパルス化または多値レベル化して制御する技術が必須とされている。このためには、光源の出射光量は、常に所望の値に制御される必要がある。
【０００３】
しかし、半導体レーザ素子がレーザ発振を開始する電流値（以下、閾値電流と称する）や、駆動電流−光出力特性の勾配（以下、微分量子効率と称する）等の特性は、半導体レーザ素子の温度変化に伴って変化する。例えば、半導体レーザ素子の温度上昇に伴い、閾値電流の増加及び微分量子効率が低下する。すなわち、駆動電流が同一であっても、半導体レーザ素子の温度上昇に伴い、出射光量が低下する。また、例えば、半導体レーザ素子の温度上昇に伴い、半導体レーザ素子の出射波長が長くなる。さらに、一般に光ディスク（特に、色素系ディスク）の受光感度は、受光波長に対する依存性がある。そのため、半導体レーザ素子の出射波長の温度依存性が、光ディスクに形成されるピットの形状に影響を与える。
【０００４】
情報記録再生装置においては、連続記録時間が１時間以上に及ぶことがあり、この間、光ピックアップに備わる半導体レーザ素子の温度が変化する。したがって、上述のような半導体レーザ素子の特性の温度依存性に基づき、半導体レーザ素子から出射されるレーザ光の光強度や波長が変化する。その結果、レーザ光によって光ディスクに形成されるピットが、所望の形状に形成されず、信号の記録動作が所望の通りに行われないという問題がある。
【０００５】
この問題を解消するため、例えば特許文献１に示される情報記録再生装置は、半導体レーザ素子の駆動電流の温度依存特性データを記憶手段に格納し、温度検出手段で検出された温度に応じ、対応する温度依存特性データを光ピックアップとは別個に設けた記憶手段から読み出して、そのデータに基づいて半導体レーザ素子の駆動回路を制御するようにしている。また、この半導体レーザ素子の駆動回路を制御するとき、光ディスクの透過率や反射率の温度依存特性を考慮して、より高精度な制御をするようにしている。
【０００６】
特許文献２に示される情報記録再生装置は、半導体レーザ素子の温度変化に伴う発光波長変化に対する解決方法として、信号光用の光路を設けるためのビームスプリッタに加え、波長検出用の光路を設けるためのビームスプリッタを備え、波長フィルタ等を用いて波長変動を検出し、半導体レーザ素子を制御している。
【０００７】
【発明が解決しようとする課題】
一般に、情報記録再生装置に用いられる半導体レーザ素子は、静電気、電源からのサージまたは経時自然劣化等により、他の部品に比べて相対的に故障しやすい部品である。このため、半導体レーザ素子を含む情報記録再生装置用光学系の製造メーカーの製造ラインでの検査においては、全ての半導体レーザ素子に対し、それぞれ所定光量ＰＯの発光を得るための駆動電流値ＩＰＯを測定する。さらに、いくつかの半導体レーザ素子を抜取り、半導体レーザ素子の温度依存特性データに関する検査を行い、その結果を管理データとする。
【０００８】
また、この光ピックアップを使用した情報記録再生装置の製造時においては、閾値電流Ｉｔｈ等を測定する。測定された閾値電流Ｉｔｈと、規格値とを比較し、その半導体レーザ素子に故障がないかを判断する。情報記録再生装置が製造時に正常であっても、経時変化により半導体レーザ素子が劣化するに従い、所定光量ＰＯの発光を得るための駆動電流値ＩＰＯは増加する。従って、駆動電流値ＩＰＯは情報記録再生装置に故障等の不具合を生じた時に、サービスマン等が確認する重要な項目である。
【０００９】
ここで、この半導体レーザ素子に劣化の疑いが生じた場合、この閾値電流Ｉｔｈや所定光量ＰＯの発光を得るための駆動電流値ＩＰＯを測定するため、各値を測定できる程度まで、情報記録再生装置を開けて分解し、電流計または電圧計等を取り付けて検査する。半導体レーザ素子が不良である場合には、光ピックアップを交換する。その後、情報記録再生装置を組み立てて修復をしなければならない。
【００１０】
このように光ピックアップを交換したとき、特許文献１に示すように、半導体レーザ素子の温度依存特性性を外部の制御部に設けた記憶手段に記憶しておくと、その都度、記憶手段に記憶した温度依存特性の設定値を変更する必要があるとともに、この変更に別途装置が必要となり、温度依存特性の変更等が容易ではないという問題がある。また、光ディスクの透過率や反射率の温度依存特性を考慮するために光ディスクの反射率および透過率を考慮しても、個々の光ディスク毎に反射率および透過率の特性がばらつく。そのため、半導体レーザ素子自身の特性を正確に測定できないという問題がある。またＣＤ・ＤＶＤ両対応の情報記録再生装置の場合においては、上述の光ディスク毎の反射率および透過率の特性のばらつきがさらに顕著である。
【００１１】
さらに、特許文献２に記載の情報処理装置に含まれる波長検出手段においては、波長検出用の光路と受光用の光路とを分岐させるため、それぞれにビームスプリッタを用いる。そのため、部品点数の増加、受光光量の減少および光ピックアップの大型化を招くという問題がある。
【００１２】
本発明は、かかる問題に鑑みてなされたものであり、光源であるＬＤの閾値電流や駆動電流−光出力特性の勾配や波長等の特性が温度変化により変化した場合にも、光ディスクに所望の形状のピットを形成できるように駆動電流を制御し、また、ＬＤの劣化等による不具合により光ピックアップの交換が必要な場合にはその旨を知らせ、さらに、光ピックアップ固有の設定値の変更を、新たな光ピックアップの取り付けだけで可能することにより光ピックアップの交換を容易にし、情報記録再生装置の保守性を高めることを目的とするものである。
【００１３】
【課題を解決するための手段】
この発明の第１の光ピックアップは、光源の温度を検出する温度検出手段と、温度検出手段で検出される温度における光源の波長、および、温度において所定の光強度を得るために光源に印加する電流を表す温度依存特性データを記憶する記憶手段とを備える。
【００１４】
この発明の第２の光ピックアップは、電流により駆動される光源からの光を情報記録媒体に照射する光ピックアップにおいて、光源の温度を検出する温度検出手段と、光源の発光波長を検出する波長検出手段と、温度検出手段で検出される温度と波長検出手段で検出される発光波長とを用いて算出され、光源の温度変化に対する光源の波長変化を表す温度依存特性データを記憶する記憶手段とを備える。
【００１５】
この発明の第３の光ピックアップは、電流により駆動される光源からの光を情報記録媒体に照射する光ピックアップにおいて、光源の温度を検出する温度検出手段と、光源の光強度を検出する光強度検出手段と、温度検出手段で検出される温度と光強度検出手段により検出される光強度が所定の値となるように光源に印加する電流とを用いて算出され、光源の温度変化に対する光源の電流の変化を表す温度依存特性データを記憶する記憶手段とを備える。
【００１６】
この発明の第４の光ピックアップは、電流により駆動される光源からの光を情報記録媒体に照射する光ピックアップにおいて、光源の温度を検出する温度検出手段と、光源の発光波長を検出する波長検出手段と、光源の光強度を検出する光強度検出手段と、温度検出手段で検出された温度と、波長検出手段で検出された発光波長と、光強度検出手段により検出される光強度が所定の値となるように光源に印加する電流とを用いて算出され、光源の温度変化に対する光源の波長および電流の変化を表す温度依存特性データを記憶する記憶手段とを備える。
【００１７】
また、波長検出手段は、光源の発光波長近傍で透過率が変化する光学素子と、光学素子を透過していない光の光強度を検出する第１の検出手段と、光学素子を透過した後の光強度を検出する第２の検出手段とを有する。
【００１８】
あるいは、波長検出手段は、光源の発光波長近傍で透過率が変化する光学素子と、光学素子により反射された光強度を検出する第１の検出手段と、光学素子を透過した後の光強度を検出する第２の検出手段とを有する。
【００１９】
また、光源は、複数の異なる波長の光を出力し、波長検出手段は、光源が出力する光の各波長を検出することを特徴とする。
【００２０】
さらに、入射された光の回折方向を外部から入力された信号に応じて制御する光分割素子を備える。
【００２１】
記憶手段は、あらかじめ工場出荷時における温度依存特性データを記憶していることを特徴とする。
【００２２】
この発明の第１の情報記録再生装置は、第１から第４までのいずれかの光ピックアップと、温度検出手段、波長検出手段および光強度検出手段の少なくともいずれかにより検出された結果に応じて、記憶手段に記憶された温度依存特性データのいずれかのデータを選択し、選択された温度依存特性データを用いて、光源の電流を制御する信号処理手段とを備え、信号処理手段は、記憶手段に記憶された温度依存特性データを追加または更新の少なくともいずれかを行うことを特徴とする。
【００２３】
この発明の第２の情報記録再生装置は、光分割素子を備えた第１から第４までのいずれかの光ピックアップと、温度検出手段、波長検出手段および光強度検出手段の少なくともいずれかにより検出された結果に応じて、記憶手段に記憶された温度依存特性データのいずれかのデータを選択し、選択された温度依存特性データを用いて、光源の電流を制御する信号処理手段とを備え、信号処理手段は、記憶手段に記憶された温度依存特性データを追加または更新の少なくともいずれかを行い、光源が出力する光の波長に応じて光分割素子に入力させる信号を設定することを特徴とする。
【００２４】
また、信号処理手段は、工場出荷時の温度依存特性データと、光ピックアップ使用時の温度依存特性データとを比較することにより、光源の劣化状態を判定することを特徴とする。
【００２５】
【発明の実施の形態】
本発明に係る情報記録再生装置の構成を、図１に示す。情報記録再生装置は、例えば、ＣＤ−ＲＯＭ、ＤＶＤ−ＲＯＭ、ＣＤ−Ｒ、ＣＤ−ＲＷ、ＤＶＤ−Ｒ、ＤＶＤ−ＲＡＭ、ＤＶＤ−ＲＷ、ＤＶＤ＋Ｒ、ＤＶＤ＋ＲＷ、ＭＤ、ＭＯなどの光ディスク等の情報記録媒体１００に、情報を記録または再生するものであり、光ピックアップ２００と、信号処理部３００と、回転駆動部４００と、コントローラ５００とを備える。
【００２６】
光ピックアップ２００は、図２の構成図に示すように、光学系２１０と記録再生制御部２２０とを有する。光学系２１０は、コリメータレンズ２１１と、ビームスプリッタ２１２と、対物レンズ２１３と、モニタ用レンズ２１４と、信号用レンズ２１５とを有する。記録再生制御部２２０は、ＬＤ２２１と、光分割素子２２２と、モニタ受光部２２３と、波長検出部２２４と、信号受光部２２５と、光源駆動部２２６と、光分割素子制御部２２７と、温度検出部２２８と、記憶部２２９とを有する。
【００２７】
情報記録媒体に情報を記録する場合、光源であるＬＤ２２１より出射されたレーザ光は、コリメータレンズ２１１を通過して平行に整形されて、ビームスプリッタ２１２に入射する。この入射されたレーザ光の一部は、ビームスプリッタ２１２を直線的に通過し、さらに対物レンズ２１３を通過することにより、情報記録媒体１００上に集光される。
【００２８】
また、ビームスプリッタ２１２に入射されたレーザ光の他の一部は、入射方向と９０度をなす方向から出射される。この出射されたレーザ光は、モニタ用レンズ２１４を通過することにより集光されるとともに、電圧により入射される光の回折方向を任意に選択できる透過型回折格子である光分割素子２２２により光路を分割され、その０次光はモニタ受光部２２３に、その１次光は波長検出部２２４に集光される。なお、図３に示されるように、モニタ用レンズ２１４に変えてコリメータレンズ２１１の手前に配置したモニタ用レンズ２１６を有する光学系２３０を用い、ＬＤ２２１より出射されたレーザ光のうちコリメータレンズ２１１に入射されないもれ光を光分割素子２２２に入射させてもよい。
【００２９】
情報記録媒体に記録された情報を再生する場合、記録時と同様の経路でＬＤ２２１から出射されて情報記録媒体１００に集光されたレーザ光は、情報記録媒体１００で反射される。この反射されたレーザ光は、対物レンズ２１３を通過して平行に整形されてビームスプリッタ２１２に入射する。入射したレーザ光は、入射方向と９０度をなす方向から出射されて信号用レンズ２１５を通過し、信号受光部２２５に集光される。
【００３０】
光源駆動部２２６は、信号処理部３００により設定された駆動電流をＬＤ２２１に印加する。モニタ受光部２２３および信号受光部２２５は、光を受光して受光信号に変換する。波長検出部２２４は、入射されるレーザ光について、波長の選択および強度の測定を行う。光分割素子制御部２２７は、光分割素子２２２に印加する電圧等の制御を行う。なお、後述するように、波長検出部２２４はモニタ受光部２２３と一体化する場合もある。温度検出部２２８は、例えばサーミスタであり、ＬＤ２２１の温度を測定する。
【００３１】
記憶部２２９は、例えばＥＥＰＲＯＭであり、温度依存特性データを記憶する。温度依存特性データは、ＬＤ２２１の温度Ｔ毎の、ＬＤ２２１の閾値電流Ｉｔｈ、微分量子効率η、波長λ、およびこれらが測定された時の積算使用時間を含む。また、温度依存特性データには、光ピックアップ製造時に初期値としてあらかじめ記憶されているデータと、光ピックアップ使用時に信号処理部３００で作成されるデータとが含まれる。
【００３２】
なお、図示していないが、情報記憶媒体１１０の照射光の方向に対する傾き（以下、チルトと称する）を検出するチルト検出受光部などが配置される場合もある。さらに、異なる媒体フォーマットが定められた複数種類の情報記録媒体（例えば、ＤＶＤおよびＣＤ）に対応する情報記録再生装置の場合、各情報記録媒体に好適な波長の光源を持つ場合がある。この場合、各光源波長毎に、モニタ受光部２２３や信号受光部２２５を別個に備える場合もある。以上が、光ピックアップ２００の構成である。
【００３３】
信号処理部３００が行う処理を図４を用いて説明する。信号処理部３００は、モニタ受光部２２３からの受光信号、波長検出部２２４からの出力に基づき算出されたＬＤ２２１の発光波長、および温度検出部２２８により測定されたＬＤ２２１の温度に基づき、温度依存特性データを算出し、記憶部２２９に記憶させる。また、信号処理部３００は、信号受光部２２５から出力された受光信号を受けて、情報記録媒体１００の記録内容を再生する。さらに、信号処理部３００は、ＬＤ２２１が出射するレーザ光の強度を調整するため、温度依存特性データに基づき、光源駆動部２２６がＬＤ２２１に印加する駆動電流を設定する。また、信号処理部３００は、光分割素子制御部２２７が光分割素子２２２に印加する電圧を設定する。
【００３４】
さらに、信号処理部３００は、光ピックアップ２００から入力された信号に基づいて様々な処理を行う。例えば、光ピックアップ２００に配置された各種受光部から出力された受光信号から情報を再生したり、情報記録媒体１００の回転に伴って発生する面振れやトラックの半径方向の振れなどの変動に対し常に所定の誤差内で光を照射するような制御（フォーカスサーボ制御及びトラックサーボ制御など）をするため、受光信号からサーボエラー信号を生成し、このサーボエラー信号に従い、回転駆動部４００を含む光ピックアップ２００を制御する。また、情報記録再生装置全体の制御を行うコントローラ５００を通じて、ホストコンピュータと記録再生情報の受け渡しやコマンド通信を行う。
【００３５】
回転駆動部４００は、情報記録媒体１００を回転制御（スピンドルサーボ制御）する。回転駆動部４００は、ＣＬＶ（Ｃｏｎｓｔａｎｔ  Ｌｉｎｅａｒ  Ｖｅｌｏｃｉｔｙ）回転制御を行う際には、より精度よく回転制御を行うため、情報記録媒体１００に記録された回転制御信号に基づき回転制御を行う。回転制御信号は、光ピックアップ２００を介して検出される。回転制御信号として、例えば再生情報記録媒体などでは、記録された情報に所定間隔で配置された同期信号が用いられ、記録可能な情報記録媒体では、記録トラックが所定の周波数で蛇行したウォブルなどが用いられる。以上が、本実施形態に係る情報記録再生装置の全体構成である。
【００３６】
図５および図６は、この情報記録再生装置の部品配置を示し、図５は平面図であり、図６は側面図である。光ピックアップ２００は、情報記録媒体１００の半径方向に移動（シーク動作と呼ぶ）が可能なように、ガイド１５１に取り付けられている。光ピックアップ２００と、信号処理部３００等が搭載されている回路基板１５２とは、ＦＰＣ１５３を介し、コネクタ１５４を端子として接続されるのが一般である。また、ＬＤや受光部等の光ピックアップに搭載される部品は、このＦＰＣ基板に実装されることも多い。
【００３７】
駆動および制御の対象となるＬＤ２２１の駆動電流−光出力特性の一例を、図７に示す。通常、ＬＤ２２１の駆動電流ＩＰＯに対する光出力ＰＯは、微分量子効率をηとし、閾値電流をＩｔｈとして次式のように近似できる。
ＰＯ＝η・（ＩＰＯ−Ｉｔｈ）    ・・・（１）
ここで、駆動電流ＩＰＯを、バイアス電流Ｉｂと変調電流Ｉｍとの和（Ｉｂ＋Ｉｍ）と考える。所望の光変調波形を得る為には、バイアス電流Ｉｂを閾値電流Ｉｔｈにほぼ等しくし、ＰＯ＝η・Ｉｍとなる変調電流Ｉｍで、ＬＤ２２１を駆動すれば良い。
【００３８】
しかし、一般に、この閾値電流Ｉｔｈと微分量子効率ηとは、個体間でばらつくのみならず、温度変化や経時変化により変動する。そのため、所望の光量を安定して得られなくなり、情報の記録や消去等が不完全なものとなる。常時、所望の光変調波形を得るためには、閾値電流Ｉｔｈ及び微分量子効率ηの変動に伴い、バイアス電流Ｉｂと変調電流Ｉｍを制御することが望ましい。
【００３９】
例えば、図８に示すように、閾値電流がＩｔｈ１からＩｔｈ２に、微分量子効率ηがη１からη２に変動した場合、所望の光変調波形を得る為には、バイアス電流ＩｂをＩｔｈ１からＩｔｈ２に変更し、変調電流ＩｍをＰＯ＝η１・Ｉｍ１となるＩｍ１からＰＯ＝η２・Ｉｍ２となるＩｍ２に変更して、ＬＤ２２１を制御すれば良い。
【００４０】
情報記録媒体から情報を読み出し、または情報記録媒体に情報を書き込む際に、ＬＤ２２１に関して測定されるデータ（以下ＬＤ測定データと称する）の例を図９に示す。ＬＤ測定データには、ＬＤ２２１の温度Ｔと、変調電流Ｉｍｐ、Ｉｍｅ、Ｉｍｂと、発光波長λとが含まれる。変調電流Ｉｍｐ、Ｉｍｅ、Ｉｍｂは、それぞれ、ＬＤ２２１が出力する図１０のような波形における３種類のレーザパワーであるピークパワー（Ｐｐ）、イレースパワー（Ｐｅ）、バイアスパワー（Ｐｂ）を生成するために必要な変調電流であり、温度Ｔ毎に測定される。各変調電流と光出力との対応関係を図１１に示す。なお、変調電流Ｉｍｐ（０）、Ｉｍｅ（０）、Ｉｍｂ（０）は、工場出荷時のデータ、すなわちＬＤ２２１の特性が劣化する前のデータであり、これらは初期状態のデータとされる。また、変調電流Ｉｍｐ（ｔ）、Ｉｍｅ（ｔ）、Ｉｍｂ（ｔ）は、使用時間がｔ時間経過した後に測定されたデータ、すなわちＬＤ２２１の特性が劣化した後のデータである。また、図１２に例示されるように、ＬＤ２２１の温度上昇に伴って、発光波長λは長くなる。
【００４１】
記憶部２３８に記憶される、制御データテーブルとして記憶された温度依存特性データを図１３に示す。温度依存特性データは、温度Ｔ毎の閾値電流Ｉｔｈ、微分量子効率η、波長λを含む。信号処理部３００は、入力された変調電流Ｉｍｐ（ｔ）、Ｉｍｅ（ｔ）、Ｉｍｂ（ｔ）、温度Ｔ（ｔ）、波長λ（Ｔ）から温度依存特性データの各値を算出し、記憶手段２４８に記憶させる。閾値電流Ｉｔｈおよび微分量子効率ηは、３種類の変調電流に対し共通であることから、（１）式より容易に算出される。温度依存特性データには、工場出荷時、前回使用時（読み込みまたは書込み終了時）および使用前（読み込みまたは書込み開始前）における、閾値電流Ｉｔｈ等の計算された値が含まれる。さらに、データが更新された時に、ＬＤ２２１の劣化状態を経時的に知るため、積算使用時間ｔも記憶される。
【００４２】
情報記録再生装置が起動してから、動作を終了するまでの処理を、図１４のフローチャートを参照して説明する。
【００４３】
情報記録再生装置を起動させた（開始）後、記憶部２２９から、初回使用時には工場出荷時における温度依存特性データを読み出し、初回使用時以外の場合には前回使用後の温度依存特性データを読み出し、その値を初期値とする（ステップＳ１）。次に、温度検出部２４７からＬＤ２２１の温度Ｔを取得する（ステップＳ２）。次に、読み出された温度依存特性データを用いてＬＤ２２１を点灯し、波長検出部２２４からＬＤ２２１の発光波長λを取得すると共に、駆動電流Ｉｐ、Ｉｅ、Ｉｂ（それぞれ、変調電流Ｉｍｐ、Ｉｍｅ、Ｉｍｂに対応する）を測定し、さらに測定値から閾値電流Ｉｔｈおよび微分量子効率ηを求める（ステップＳ３）。
【００４４】
次に、取得または求められた、温度Ｔ毎の閾値電流Ｉｔｈ、微分量子効率η、出力波長λ等の値（以下、算出値と称する）と、初期値との比較を行う（ステップＳ４）。算出値と初期値との比較は、あらかじめ定められた基準に基づいて行われる。例えば、この比較の結果、いずれかまたは全てのパラメータが、所定の値（Δとする）以上に相違がある場合、算出値を、今回のＬＤの駆動に参照される温度依存特性データ（以下、使用値と称する）として設定する（ステップＳ５）。算出値と初期値との比較の結果、いずれかまたは全てのパラメータが、所定の値（Δとする）以上に相違がない場合、初期値を使用値として設定する（ステップＳ６）。
【００４５】
次に、使用値を基に、所望の光出力が得られるか判定を行う。すなわち、ＬＤ２２１の経時劣化を知るために、例えば、もっとも強いパワーを出力するピークパワーＰｐを出力するための駆動電流ＩＰを計算し、その値とＬＤ２２１の定格電流値とを比較する（ステップＳ７）。
【００４６】
駆動電流Ｉｐと定格電流値との比較の結果、光源駆動部２２６は、駆動電流ＩＰが定格電流値を超える場合、所望の駆動電流を得られないため、光ピックアップの修理または交換等を要求する信号等を信号処理部３００を通してコントローラ５００に送る（ステップＳ８）。コントローラ５００は、その要求をホストコンピュータ上に表示させる（ステップＳ９）。なお、表示方法はホストコンピュータによる表示に限られず、情報記録再生装置に備えられたＬＥＤの点滅等による表示であってもよい。
【００４７】
駆動電流Ｉｐと定格電流値との比較の結果、駆動電流ＩＰが定格電流値を超えない場合、使用値に基づき、情報記録媒体１００からの読み出しや、情報記録媒体１００への書込み等を開始する（ステップＳ１０）。信号処理部３００は、読み出しや書込み等を行っている間は、温度検出部２２８によりＬＤ２２１の温度Ｔを常時測定し、また、記憶部２２９に記憶されているＬＤ２２１の温度依存特性データに基づき、所望の光出力を得るような駆動電流の予測値を決定する。これらの処理により、ＬＤ２２１の駆動電流の高速制御が可能となる。さらに、信号処理部３００は、駆動電流Ｉｐ、Ｉｅ、Ｉｂを測定すると共に、波長検出部２２４からＬＤ２２１の発光波長λを取得し、温度検出部２２８からＬＤ２２１の温度Ｔを取得することにより、図９のようなＬＤ測定データを作成する（ステップＳ１１）。
【００４８】
信号処理部３００は、情報記憶媒体への読み込みまたは書込みが終了した後（ステップＳ１２）、終了時検査を行う。すなわち、信号処理部３００は、まず作成したＬＤ測定データを基に、温度Ｔ毎の閾値電流Ｉｔｈ、微分量子効率ηおよび発光波長λを求める（以下、終了時算出値と称する）（ステップＳ１３）。次に、終了時算出値と、使用値との比較を行う（ステップＳ１４）。終了時算出値と、使用値との比較の結果、いずれかまたは全てのパラメータが、所定の値（Δとする）以上に相違がある場合、信号処理部３００は、終了時算出値を、今回使用後の温度依存特性データとして、記憶部２２９に記憶させる（ステップＳ１５）。終了時算出値と、使用値との比較の結果、いずれかまたは全てのパラメータが、所定の値（Δとする）以上に相違がない場合、信号処理部３００は、使用値を、今回使用後の温度依存特性データとして、記憶部２２９に記憶させる（ステップＳ１６）。
【００４９】
すなわち、この情報記録再生装置は、閾値電流Ｉｔｈ、微分量子効率η、発光波長λが、温度Ｔ毎に記憶される温度依存特性データと、常時測定される温度Ｔとに基づいてＬＤ２２１を制御するため、ＬＤ２２１を連続的に、より高精度に制御することが可能である。
【００５０】
また、この情報記録再生装置は、工場出荷時、前回使用後、今回使用後における温度依存特性データを、積算使用時間ごとに記憶するため、ＬＤ２２１の劣化状態を把握できる。このＬＤ２２１の劣化状態を把握することにより、光ピックアップの交換が必要となるような故障を、外部に表示することができる。この表示により、情報記録再生装置の故障の原因を知ることが可能である。さらに、ＬＤ２２１の温度依存特性データの経時変化を随時記録することにより、ＬＤ２２１の劣化の経時変化を把握できる。なお、メンテナンス等を要求するアラームの表示を確認する対象は、情報記録再生装置の初期検査およびメンテナンス等を行う者に限定するものではなく、情報記録再生装置の使用者等も含まれる。
【００５１】
また、この情報記録再生装置は、光ピックアップに記憶部２２９を有し、記憶部２２９に工場検査時の温度依存特性データを記憶する。そのため、個体毎にばらつくＬＤ２２１の特性値の設定を、光ピックアップを交換するだけで可能にする。
【００５２】
次に、光出力制御方法について説明する。情報記憶媒体１１０に記録を行う際に光源駆動部２２５が光源２２１に駆動電流を印加して得られる光波形を、図１５に例示する。実線で表された波形におけるＰｂ１、Ｐｅ１、Ｐｐ１は、目標とする最適な光出力で、それぞれ、バイアスパワー、イレースパワ−およびピークパワーである。また、破線で表された波形におけるＰｐ２、Ｐｅ２は、それぞれ、ＬＤ２２１の温度変化に伴って変化したピークパワー、イレースパワーである。
【００５３】
一般に、ＬＤ２２１の光出力を制御せずに発光させた場合、ＬＤ２２１の温度が上昇するに従い、閾値電流Ｉｔｈおよび微分量子効率ηが変化し、図１３において実線で示されるような目標の光出力を得ることが出来なくなる。そこで、Ｐ（ｉ）およびＰ（ｉｉ）のようにある測定点を決め、Ｐ（ｉｉ）を、実線のような所望の光出力Ｐ（ｉ）に一致させるように、変調電流Ｉｍのフルスケールを調整する等により制御を行う方法がある（サンプル・ホールド制御と呼ぶ）。
【００５４】
しかし、高速記録等のようにＬＤ制御が高速になるに従い、前述のＰ（ｉ）およびＰ（ｉｉ）のような測定点を他の制御中に行うことは困難になる。一方、ＬＤ２２１の温度Ｔの変化に対応し、記憶部２４０に記憶された温度依存特性データと常時測定されるＬＤ２２１の温度Ｔとから、所望の光出力を得るような駆動電流の予測値を算出するとともに、モニタ受光部２２３が検出した値に基づき微調整する従来のＡＰＣ制御を併用することで、より高速かつ高精度に所望の光出力を得られるＬＤ２２１の制御が可能となる。もしくは、測定されるＬＤ２２１の温度Ｔと、温度依存特性データの閾値電流Ｉｔｈ、微分量子効率ηおよび発光波長λとのみにより、ＬＤ２２１の出力光の強度を決定することで、ＬＤ２２１をより高速に制御できる。
【００５５】
また、測定されるＬＤ２２１の温度Ｔと、工場出荷時の温度依存特性データとにより、所望の光出力を得るような駆動電流の予測値を算出する制御を行うことで、波長検出部２２４を必要とせずに、温度検出部２２８と記憶部２２９とのみにより、ＬＤ２２１を制御できる。すなわち、高速なＬＤの制御、低コスト化、および光ピックアップの小型化が可能となる。
【００５６】
次に、具体的な駆動電流の変更について説明する。例えば、ＬＤ２２１の温度がＴ１の場合に、情報記録媒体１００に所望の記録マーク形状を形成するため、光源駆動部２２６がＬＤ２２１に駆動電流を印加して得られる光出力が、図１０に示す波形であるとする。ここで、ＬＤ２２１の温度がＴ２に変化した場合、温度依存特性データに基づき、この波形のうち、ピークパワーＰｐの強度を任意のδＰ１だけ変更させたり（図１６）、ピークパワーＰｐの印加時間を任意のδＰ２だけ変更させたり（図１７）、ピークパワーＰｐの強度および印加時間を任意のδＰ１、δＰ２、δＰ３をだけ変更させたり（図１８）することで、高精度な記録マーク形状を形成できる。
【００５７】
また、一般に、ＬＤ２２１の温度上昇に伴い、ＬＤ２２１の発光波長も変動する。例えば、図１２に示すように、ＬＤ２２１の温度Ｔが上昇するに従い、ＬＤ２２１の発光波長λは長波長側へシフトしていく。図１９に色素系光ディスクの波長−受光感度（吸収）曲線を示す。ここで、受光感度が最も高い（最も吸収の大きい）波長をλｋ、ＬＤ２２１の温度上昇前における発光波長をλ１、ＬＤ２２１の温度上昇後における発光波長をλ２としている。
【００５８】
一般に、色素系光ディスクでは、ＬＤ２２１の発光波長が、最適な波長からずれている場合、上述のようなサンプル・ホールド制御等から得られる最適な光強度で出力しても、波長による受光感度の変化が原因となり受光感度が弱くなる。そのため、光ディスクに与えられる光強度は減少する。ここで、光出力制御は、発光波長λ１に合わせて制御しているため、発光波長がλ２になった際にも、λ１とλ２との受光感度の比から算出される最適な光出力を与えることで制御可能である。
【００５９】
図２０、図２１および図２２は、光分割素子２２２、モニタ受光部２２３および波長検出部２２４を含む具体的な構成の例を示す。図２０において、光分割素子２２２は、例えば透過型回折格子であり、通過するレーザ光を分割する。波長フィルタ２４１は、例えば図２３のような波長−透過率特性をもつフィルタである。この波長フィルタ２４１の透過限界波長λｃ近傍に、ＬＤ２２１の発光波長λがある。反射光受光部２４２および透過光受光部２４３は、例えばフォトディテクタであり、受光した光に応じて受光信号を出力する。
【００６０】
光分割素子２２２に入射されるレーザ光は、モニタ用レンズ２１４から出射されたレーザ光である。光分割素子２２２は、通過するレーザ光を分割する。分割されたレーザ光の０次光は、モニタ受光部２２３に入射される。また、分割されたレーザ光の＋１次光は、波長フィルタ２４１に入射される（そのパワーをＰｉとする）。反射光受光部２４２は、波長フィルタにより反射されたレーザ光を受光する（そのパワーをＰｒとする）。透過光受光部２４３は、波長フィルタを透過したレーザ光を受光する（そのパワーをＰｔとする）。
【００６１】
ここで、
Ｐｍｅａｎｓ＝Ｐｔ／（Ｐｔ＋Ｐｒ）    ・・・（２）
とすると、ＬＤ２２１の温度変化に伴って、ＬＤ２２１の発光波長λが長くなると、波長フィルタ２４１を透過する光量は増加し、Ｐｍｅａｎｓは増加する。逆に、ＬＤ２２１の温度変化に伴って、ＬＤ２２１の発光波長λが短くなると、波長フィルタ２４１を透過する光量は減少し、Ｐｍｅａｎｓは減少する。図２４は、温度Ｔの変化（または発光波長λの変化）に対するＰｍｅａｎｓの変化を示す。
【００６２】
図２１において、光分割素子２２２、波長フィルタ２４１および透過光受光部２４３は、図２０に示すものと同様である。受光部２４４は、２分割フォトディテクタとする。図２１に示される構成では、波長フィルタ２４１で反射されたレーザ光は、受光部２４４に入射される。このような構成とすることにより、モニタ受光部と反射光受光部とを受光部２４４に一体化することができ、低コストおよび小型化が実現できる。
【００６３】
図２２において、光分割素子２２２は、図２０に示すものと同様である。受光部２４５は、３分割フォトディテクタとする。図２２に示される構成では、光分割素子２２２により回折された±１次光を利用することにより、モニタ受光部と波長検出部とを受光部２４５に一体化することができる。なお、フォトディテクタの表面基板（主にガラス基板）に、例えば、ＬＤ２２１の発光波長の反射防止膜２４６を塗布することにより、発光波長を検出できる。
【００６４】
図２５は、電圧等により分割方向が可変な光分割素子２２２の構成図である。光分割素子制御部２２７は、光分割素子２２２に印加する電圧等の制御を行う。光分割素子２２２を構成する物質Ａ２５１および物質Ｂ２５２は、ほぼ同じ屈折率および透過率を有する。ここで、物質Ａ２５１は、複屈折等が電圧等により変化しない光学的に一様な材質であり。一方、物質Ｂ２５２は、屈折率が電圧等により変化する、光学的に可変な材質（例えば液晶）である。物質Ｂ２５２に電圧を印加することで任意に屈折率を変化させられるため、光分割素子２２２を回折格子として働かせたり、回折格子としての働きを無くしたり、あるいは、レーザ光の回折する角度を変化させることができる。
【００６５】
レーザ光の一部を取り出す場合、モニタ受光部２２３により受光される光量の低下が懸念される場合がある。このような場合、図２５に示されるような電圧等により分割方向が可変な光分割素子２２２を用いることで、波長検出を行わない場合は、物質２５１と物質２５２との屈折率差をほぼ０にして、レーザ光を回折させないことで、モニタ受光部２２３の受光光量を確保できる。また、波長検出を行う場合は、物質２５２に電圧印加し、屈折率差を利用してレーザ光を回折させることができる。
【００６６】
すなわち、光分割素子２２２を用いることで、波長検出部とモニタ受光部とを共通化できる。また、モニタ受光と波長検出とを任意に選択できる。さらに、波長の違いに応じて回折方向が違っても、共通の受光部で光強度を検出できる。
【００６７】
図２６は、波長検出部２２４の別の例を示す。光分割素子２２２（例えば、ハーフミラーや、４５度の直線偏光を偏光ビームスプリッタに入射させるものであってもよい）により分割されたレーザ光の一方（パワーをＰｉ１とする）は、波長フィルタ２４１を透過して透過光受光部２４３に受光される（透過後のパワーをＰｔとする）。光分割素子２２２により分割されたレーザ光の他方（パワーをＰｉ２とする）は、受光部２４７により受光される。ここで、初期状態でＰｉ１とＰｉ２とが等しい必要はない。透過光受光部２４３または受光部２４７の測定値に強度比をかけて補正すればよいため、Ｐｉ１とＰｉ２との強度比がわかれば十分である。
【００６８】
また、波長検出部２２４に入射される光強度Ｐｉが既知である場合、
Ｐｍｅａｎｓ＝Ｐｔ／Ｐｉ    ・・・（３）
とすることで、上述と同様に波長を検出可能であるため、光分割素子２２２および受光部２４３は必要なくなる。
【００６９】
なお、図２０、図２１、図２２および図２５において波長フィルタを用いているが、ＬＤ２２１の発光波長λの近傍に透過限界波長λｃを有し、同様の効果を有するものであれば、波長フィルタに限定されない。
【００７０】
また、情報記録再生装置は、光源として２種類の波長を用いてもよい。この場合、図２７のような波長−透過率特性をもつ波長フィルタ（例えばバンドパスフィルタ）を用いるのがよい。短波長側の透過限界波長をλｃ１、長波長側の透過限界波長をλｃ２とする。温度Ｔの変化（または発光波長λの変化）に対するＰｍｅａｎｓの変化は、λｃ１側では図２４のようになり、λｃ２側では図２８のようになる。また、この波長フィルタの波長−透過率特性も、上記特性であると同様の理由でより望ましい。なお、波長フィルタは、１枚で構成しなくても、それぞれ、図２３および図２９のような特性をもつ２枚の波長フィルタを張り合わせたものでもよい。
【００７１】
波長フィルタは、より広い波長範囲の計測が可能となるよう、ＬＤ２２１の発光波長の近傍において、波長変化による透過率変化が緩やかであることが、より望ましい。また、波長フィルタは、温度−透過率変化が線形に近似できると計算が容易となるため、ＬＤ２２１の発光波長の近傍において、直線（１次）の変化であるとより望ましい。
【００７２】
【発明の効果】
この発明の第１の光ピックアップは、光源の温度を検出する温度検出手段と、温度検出手段で検出される温度における光源の波長、および、温度において所定の光強度を得るために光源に印加する電流を表す温度依存特性データを記憶する記憶手段とを備えるため、光ピックアップの修理または交換等が必要となる際に、光ピックアップが搭載された情報記録再生装置において、光ピックアップの交換のみで、光源の制御に必要な、光源の発光波長と温度との関係、または光源の温度と所定の光強度を得るために必要な駆動電流との関係等の設定値が変更されることとなり、設定値変更のための特別な装置等が不要で、情報記録再生装置の保守性が高まる。
【００７３】
この発明の第２の光ピックアップは、以上説明したように、光源の温度を検出する温度検出手段と、光源の発光波長を検出する波長検出手段と、温度検出手段で検出される温度と波長検出手段で検出される発光波長とを用いて算出され、光源の温度変化に対する光源の波長変化を表す温度依存特性データを記憶する記憶手段とを備えるため、光ピックアップの修理または交換等が必要となる際に、光ピックアップが搭載された情報記録再生装置において、光ピックアップの交換のみで、光源の制御に必要な、光源の発光波長と温度との関係等の設定値が変更されることとなり、設定値変更のための特別な装置等が不要で、情報記録再生装置の保守性が高まる。
【００７４】
この発明の第３の光ピックアップは、光源の温度を検出する温度検出手段と、光源の光強度を検出する光強度検出手段と、温度検出手段で検出される温度と光強度検出手段により検出される光強度が所定の値となるように光源に印加する電流とを用いて算出され、光源の温度変化に対する光源の電流の変化を表す温度依存特性データを記憶する記憶手段とを備えるため、光ピックアップの修理または交換等が必要となる際に、光ピックアップが搭載された情報記録再生装置において、光ピックアップの交換のみで、光源の制御に必要な、光源の温度と所定の光強度を得るために必要な駆動電流との関係等の設定値が変更されることとなり、設定値変更のための特別な装置等が不要で、情報記録再生装置の保守性が高まる。
【００７５】
この発明の第４の光ピックアップは、光源の温度を検出する温度検出手段と、光源の発光波長を検出する波長検出手段と、光源の光強度を検出する光強度検出手段と、温度検出手段で検出された温度と、波長検出手段で検出された発光波長と、光強度検出手段により検出される光強度が所定の値となるように光源に印加する電流とを用いて算出され、光源の温度変化に対する光源の波長および電流の変化を表す温度依存特性データを記憶する記憶手段とを備えるため、光ピックアップの修理または交換等が必要となる際に、光ピックアップが搭載された情報記録再生装置において、光ピックアップの交換のみで、光源の制御に必要な設定値が変更されることとなり、設定値変更のための特別な装置等が不要で、情報記録再生装置の保守性が高まる。
【００７６】
また、波長検出手段は、第２または第４の光ピックアップにおいて、光源の発光波長近傍で透過率が変化する光学素子と、光学素子を透過していない光の光強度を検出する第１の検出手段と、光学素子を透過した後の光強度を検出する第２の検出手段とを有し、あるいは、光源の発光波長近傍で透過率が変化する光学素子と、光学素子により反射された光強度を検出する第１の検出手段と、光学素子を透過した後の光強度を検出する第２の検出手段とを有し、光ディスクの反射率または透過率等ではなく、光源の出射光の一部を用いて光源の発光波長を検出するため、個々の光ディスクのばらつきに影響されない測定が可能である。また、故障時等における検査でも、光ディスクが不要であり光源単体で検査可能なため、検査に必要な時間の短縮が可能である。
【００７７】
また、第２または第４の光ピックアップにおいて、光源は、複数の異なる波長の光を出力し、波長検出手段は、光源が出力する光の各波長を検出するため、ＣＤとＤＶＤとの両方に対応する装置など、複数の波長を用いる情報記録再生装置にも利用可能となる。
【００７８】
さらに、第２から第４までのいずれかの光ピックアップにおいて、入射された光の回折方向を外部から入力された信号に応じて制御する光分割素子をさらに備え、波長検出手段に入射されるレーザ光を、その波長に応じた方向に回折できるため、波長検出手段と光強度検出手段との一体化や、異なる波長の光源を用いる場合における波長検出手段と光強度検出部との共通化が可能となる。
【００７９】
第１から第４までのいずれかの光ピックアップにおいて、記憶手段は、あらかじめ工場出荷時における温度依存特性データを記憶しているため、光ピックアップの個体毎にばらつく光源の特性値の設定が、光ピックアップを交換するだけで可能となる。
【００８０】
また、第１の情報記録再生装置は、第１から第４までのいずれかの光ピックアップと、温度検出手段、波長検出手段および光強度検出手段の少なくともいずれかにより検出された結果に応じて、記憶手段に記憶された温度依存特性データのいずれかのデータを選択し、選択された温度依存特性データを用いて、光源の電流を制御する信号処理手段とを備え、信号処理手段は、記憶手段に記憶された温度依存特性データを追加または更新の少なくともいずれかを行うことを特徴とするため、光源の温度変化による光強度の低下、または光源の温度変化による波長変化に伴った光強度の低下が発生しても、情報記録媒体に所望の記録マーク形状を形成できる。また、所望の光波形を得ることの出来る駆動電流値を、測定された温度と記憶された温度依存特性データとにより推測することにより、光源を高速かつ高精度に制御できる。また、記憶手段に記憶される温度依存特性データを常に最新のものに更新することで、所望の光強度を得るために必要な光源の駆動電流を、より高精度かつ高速に設定及び制御できる。また、検出手段を、温度検出手段と、波長検出手段または光強度検出手段とすれば、光ピックアップの小型化・低コストが可能である。
【００８１】
また、第２の情報記録再生装置は、第８の光ピックアップと、温度検出手段、波長検出手段および光強度検出手段の少なくともいずれかにより検出された結果に応じて、記憶手段に記憶された温度依存特性データのいずれかのデータを選択し、選択された温度依存特性データを用いて、光源の電流を制御する信号処理手段とを備え、信号処理手段は、記憶手段に記憶された温度依存特性データを追加または更新の少なくともいずれかを行い、光源が出力する光の波長に応じて光分割素子に入力させる信号を設定するため、波長検出手段に入射されるレーザ光を、その波長に応じた方向に回折できるため、波長検出手段と光強度検出手段との一体化や、異なる波長の光源を用いる場合における波長検出手段と光強度検出部との共通化が可能となる。
【００８２】
さらに、信号処理部は、工場出荷時の温度依存特性データと、光ピックアップ使用時の温度依存特性データとを比較することにより、光源の劣化状態を判定するため、光源の劣化状態から光源の修理または交換を必要が生じた際における保守性が高まる。
【図面の簡単な説明】
【図１】本発明に係る情報記録再生装置の構成図である。
【図２】本発明に係る光ピックアップの構成図である。
【図３】本発明に係る他の形態の光ピックアップの構成図である。
【図４】信号処理部に関連する要素を抽出した構成図である。
【図５】本発明に係る情報記録再生装置の部品配置の平面図である。
【図６】情報記録再生装置の部品配置の側面図である。
【図７】ＬＤの駆動電流−光出力特性の一例を示す特性図である。
【図８】ＬＤの駆動電流−光出力特性の温度変化の一例を示す特性図である。
【図９】ＬＤ測定データの例を示す図である。
【図１０】光源駆動部がＬＤに駆動電流を印加して得られる光波形図である。
【図１１】変調電流と光出力との関係を表す特性図である。
【図１２】光源の温度と光源の発光波長との関係を表す図である。
【図１３】温度依存特性データの例を示す図である。
【図１４】情報記録再生装置の処理を示すフロー図である。
【図１５】記録時における光波形図である。
【図１６】光強度の変更例を示す波形図である。
【図１７】駆動電流の印加時間の変更例を示す波形図である。
【図１８】光強度および駆動電流の印加時間の変更例を示す波形図である。
【図１９】色素系光ディスクの波長−受光感度曲線を表す図である。
【図２０】光分割素子、モニタ受光部および波長検出部を含む第１例の構成図である。
【図２１】光分割素子、モニタ受光部および波長検出部を含む第２例の構成図である。
【図２２】光分割素子、モニタ受光部および波長検出部を含む第３例の構成図である。
【図２３】波長フィルタの波長−透過率特性を示す特性図である。
【図２４】温度Ｔの変化に対するＰｍｅａｎｓの変化を表す図である。
【図２５】電圧等により分割方向が可変な光分割素子の構成図である。
【図２６】光分割素子、モニタ受光部および波長検出部を含む第４例の構成図である。
【図２７】２波長用の波長フィルタの波長−透過率特性を示す特性図である。
【図２８】光源に２波長用いる場合の、長波長側における温度Ｔの変化に対するＰｍｅａｎｓの変化を示す図である。
【図２９】光源に２波長用いる場合に組み合わされる波長フィルタの波長−透過率特性を示す特性図である。
【符号の説明】
１００；情報記録媒体、１５１；ガイド、１５２；回路基板、１５３；ＦＰＣ、１５４；コネクタ、２００；光ピックアップ、２１０；光学系、２１１；コリメータレンズ、２１２；ビームスプリッタ、２１３；対物レンズ、２１４；モニタ用レンズ、２１５；信号用レンズ、２１５；モニタ用レンズ、２２０；記録再生制御部、２２１；ＬＤ、２２２；光分割素子、２２３；モニタ受光部、２２４；波長検出部、２２５；信号受光部、２２６；光源駆動部、２２７；光分割素子制御部、２２８；温度検出部、２２９；記憶部、２４１；波長フィルタ、２４２；反射光受光部、２４３；透過光受光部、２４４；受光部、２４５；受光部、２４６；反射防止膜、２４７；受光部、２５１；物質Ａ、２５２；物質Ｂ、３００；信号処理部、４００；回転駆動部、５００；コントローラ
【図１】
2005032340.tif 000003
【図２】
2005032340.tif 000004
【図３】
2005032340.tif 000005
【図４】
2005032340.tif 000006
【図５】
2005032340.tif 000007
【図６】
2005032340.tif 000008
【図７】
2005032340.tif 000009
【図８】
2005032340.tif 000010
【図９】
2005032340.tif 000011
【図１０】
2005032340.tif 000012
【図１１】
2005032340.tif 000013
【図１２】
2005032340.tif 000014
【図１３】
2005032340.tif 000015
【図１４】
2005032340.tif 000016
【図１５】
2005032340.tif 000017
【図１６】
2005032340.tif 000018
【図１７】
2005032340.tif 000019
【図１８】
2005032340.tif 000020
【図１９】
2005032340.tif 000021
【図２０】
2005032340.tif 000022
【図２１】
2005032340.tif 000023
【図２２】
2005032340.tif 000024
【図２３】
2005032340.tif 000025
【図２４】
2005032340.tif 000026
【図２５】
2005032340.tif 000027
【図２６】
2005032340.tif 000028
【図２７】
2005032340.tif 000029
【図２８】
2005032340.tif 000030
【図２９】
2005032340.tif 000031